(57)【要約】【課題】ノイズフィルタからの放出電力による問題、及びノイズフィルタと対地容量との共振周波電流による問題を解決する。【解決手段】本考案のノイズフィルタ１０は、インダクタ７１に固定抵抗器１１が並列接続されたものである。電源周波数の電流は、固定抵抗器１１を通過せずにインダクタ７１を無損失で通過する。一方、共振周波電流を含む高周波のノイズ電流は、インダクタ７１を通過せずに固定抵抗器１１で消費される。したがって、ノイズフィルタ１０でノイズの電力が蓄えられないので、放出電力による問題もない。また、ノイズフィルタ１０と対地容量Ｃとの共振周波電流も固定抵抗器１１で消費されるので、共振周波電流による問題もない。【選択図】　　　　図１
0003098838.tif 000002
【実用新案登録請求の範囲】
【請求項１】
アース線に誘導されるノイズを抑制するインダクタと、このインダクタに並列接続された固定抵抗器と、を備えたことを特徴とするノイズフィルタ。
【請求項２】
アース線に誘導されるノイズを抑制するインダクタと、このインダクタに並列接続された固定抵抗器とを備えたノイズフィルタであって、
前記インダクタ及び前記固定抵抗器の並列回路は、一本の前記アース線に設けられ、一方の端子が接地され、他方の端子が機器に接続される、
ノイズフィルタ。
【請求項３】
アース線に誘導されるノイズを抑制するインダクタと、このインダクタに並列接続された固定抵抗器とを備えたノイズフィルタであって、
電源電流の角周波数をωｐ［ｒａｄ］、ノイズ電流の下限の角周波数をωｎ［ｒａｄ］、前記インダクタのインダクタンスをＬ［Ｈ］、前記固定抵抗器の抵抗値をＲ［Ω］としたとき、
１０（ωｐ・Ｌ）　＜　Ｒ　＜　（ωｎ・Ｌ）／１０
が成り立つ、
ノイズフィルタ。
【請求項４】
アース線に誘導されるノイズを抑制するインダクタと、このインダクタに並列接続された固定抵抗器とを備えたノイズフィルタであって、
電源電流の角周波数をωｐ［ｒａｄ］、ノイズ電流の下限の角周波数をωｎ［ｒａｄ］、前記インダクタのインダクタンスをＬ［Ｈ］、前記固定抵抗器の抵抗値をＲ［Ω］としたとき、
１００（ωｐ・Ｌ）　＜　Ｒ　＜　（ωｎ・Ｌ）／１００
が成り立つ、
ノイズフィルタ。
【請求項５】
アース線に誘導されるノイズを抑制するインダクタと、このインダクタに並列接続された固定抵抗器とを備えたノイズフィルタであって、
電源電流の角周波数をωｐ［ｒａｄ］、ノイズ電流の下限の角周波数をωｎ［ｒａｄ］、前記インダクタのインダクタンスをＬ［Ｈ］、前記固定抵抗器の抵抗値をＲ［Ω］としたとき、
１０００（ωｐ・Ｌ）　＜　Ｒ　＜　（ωｎ・Ｌ）／１０００
が成り立つ、
ノイズフィルタ。
【請求項６】
アース線に誘導されるノイズを抑制するインダクタと、このインダクタに並列接続された固定抵抗器とを備えたノイズフィルタであって、
ノイズ電流の下限の角周波数をωｎ［ｒａｄ］、前記インダクタのインダクタンスをＬ［Ｈ］、前記固定抵抗器の抵抗値をＲ［Ω］としたとき、
（ωｎ・Ｌ）／Ｒ　≧　１／（２ωｎ）
が成り立つ、
ノイズフィルタ。
【請求項７】
請求項１乃至６のいずれかに記載のノイズフィルタを備えた電子装置。
【考案の詳細な説明】
【０００１】
【考案の属する技術分野】
本考案は、アース線に誘導されるノイズを抑制するインダクタを備えたノイズフィルタ、及びこれを備えた電子装置に関する。
【０００２】
【従来の技術】
従来のノイズフィルタは、インダクタ、コンデンサ等からなり、ノイズと呼ばれる不要信号を周波数弁別し、電源電力等の周波数のみを機器側に通過させる機能を有している。ノイズの周波数は、例えば１０ｋＨｚ以上である。国内での商用電源の周波数は、５０Ｈｚ又は６０Ｈｚである。なお、本明細書における「機器」とは、電気機器、電子装置等の総称である。
【０００３】
図６は、従来のノイズフィルタを示す回路図である。以下、この図面に基づき説明する。
【０００４】
図６［１］に示すノイズフィルタ７０は、一個のインダクタ７１からなる、アース線用の二端子ノイズフィルタである。一方の端子７２が接地され、他方の端子７３が機器に接続される。また、インダクタ７１のインダクタンスは、漏電などの電源周波数の電流を機器からアースへ流すとともに、アース線に誘導されるノイズ電流を阻止するように設定されている。
【０００５】
図６［２］に示すノイズフィルタ８０は、四個のインダクタ８１〜８４及び三個のコンデンサ８５〜８７からなる、電源線用の四端子ノイズフィルタである。一方の端子８８，８９が電源に接続され、他方の端子９０，９１が機器に接続される。また、インダクタ８１，…のインダクタンス及びコンデンサ８５，…の静電容量は、電源周波数の電流を電源から機器へ流すとともに、電源線に誘導されるノイズ電流を阻止するように設定されている。
【０００６】
【考案が解決しようとする課題】
しかしながら、従来のノイズフィルタでは次のような問題があった。
【０００７】
ノイズと言われる雑音電力は、定常電流の形で電源線やアース線に誘導されるだけではなく、不定期的に時間をおいてパルス状に誘導される場合もある。このような場合、ノイズフィルタを構成するインダクタやコンデンサは、それぞれ磁界や電界によって電力を蓄えているため、ノイズ電力の流入が止まれば蓄えた電力を放出する。そのため、この放出電力によって、機器が誤動作したり一時的に機能低下を起こしたりする。
【０００８】
アース線上に誘導されるノイズ電流の低減には、コイル等のインダクタが用いられている。一方、アース線に接続されている機器のうち特に大型のものでは、かなりの対地容量を有するため、その対地容量とインダクタとで直列共振を生じる場合がある。したがって、その共振周波電流が機器側に流れ込むことによる、ノイズ障害を発生することがある。
【０００９】
【考案の目的】
そこで、本考案の目的は、ノイズフィルタからの放出電力による問題、及びノイズフィルタと対地容量との共振周波電流による問題を解決し得る、ノイズフィルタ、及びこれを備えた電子装置を提供することにある。
【００１０】
【課題を解決するための手段】
本考案者は、上記問題を解決すべく研究に励んだ結果、「ノイズフィルタからの放出電力による問題は、ノイズフィルタがノイズ電流を消費（熱エネルギに変換）する機能を持たないことに起因する。」ことを見出した。本考案は、この知見に基づきなされたものである。すなわち、インダクタに並列に固定抵抗器を接続することにより、固定抵抗器でノイズ電流が消費されるのである。また、このような構成にしたところ、対地容量とインダクタとの直列共振電流も固定抵抗器によって減衰することがわかった。以下に詳しく説明する。
【００１１】
本考案に係るノイズフィルタは、アース線に誘導されるノイズを抑制するインダクタを備えたノイズフィルタにおいて、インダクタに固定抵抗器が並列接続されたことを特徴とするものである（請求項１）。電源周波数等の低周波の電流は、固定抵抗器を通過せずにインダクタを無損失で通過する。一方、共振周波電流を含む高周波のノイズ電流は、インダクタを通過せずに固定抵抗器で消費される。したがって、ノイズフィルタでノイズの電力が蓄えられないので、放出電力による問題もない。また、ノイズフィルタと対地容量との共振周波電流も固定抵抗器で消費されるので、共振周波電流による問題もない。
【００１２】
インダクタ及び固定抵抗器の並列回路は、一本のアース線に設けられ、一方の端子が接地され、他方の端子が機器に接続される、としてもよい（請求項２）。このノイズフィルタは、いわゆるアース線用ノイズフィルタである。インダクタ及び固定抵抗器の数は、単数でも複数でもよい。インダクタが複数ある場合は、少なくとも一つのインダクタに固定抵抗器が並列接続されていればよい。
【００１３】
電源電流の角周波数をωｐ［ｒａｄ］、ノイズ電流の下限の角周波数をωｎ［ｒａｄ］、前記インダクタのインダクタンスをＬ［Ｈ］、前記固定抵抗器の抵抗値をＲ［Ω］としたとき、好ましくは、
１０（ωｐ・Ｌ）　＜　Ｒ　＜　（ωｎ・Ｌ）／１０
が成り立ち（請求項３）、より好ましくは、
１００（ωｐ・Ｌ）　＜　Ｒ　＜　（ωｎ・Ｌ）／１００
が成り立ち（請求項４）、最も好ましくは、
１０００（ωｐ・Ｌ）　＜　Ｒ　＜　（ωｎ・Ｌ）／１０００
が成り立つ（請求項５）。このように、Ｒの範囲を狭めることによって、ωｐでの減衰量が適度に小さく、かつωｎでの減衰量が適度に大きい、バランスのとれた特性が得られる。
【００１４】
また、
（ωｎ・Ｌ）／Ｒ　≧　１／（２ωｎ）
が成り立つ（請求項６）、としてもよい。このとき、固定抵抗器で消費される電力がインダクタに蓄えられる電力を越える特性となる。
【００１５】
本考案に係る電子装置は、請求項１乃至６のいずれかに記載のノイズフィルタを備えたものである（請求項７）。
【００１６】
【考案の実施の形態】
図１［１］は、本考案に係るノイズフィルタの第一実施形態を示す回路図である。図２は、図１のノイズフィルタの使用状態を示す回路図である。以下、これらの図面に基づき説明する。ただし、図６［１］と同じ部分は同じ符号を付すことにより説明を省略する。
【００１７】
本実施形態のノイズフィルタ１０は、インダクタ７１に固定抵抗器１１が並列接続されたものである。インダクタ７１及び固定抵抗器１１の並列回路は、一方の端子７２が接地され、他方の端子７３が電子装置１２に接続される。このように、ノイズフィルタ１０はアース線用の二端子ノイズフィルタである。
【００１８】
電源周波数の電流は、固定抵抗器１１を通過せずにインダクタ７１を無損失で通過する。一方、共振周波電流を含む高周波のノイズ電流は、インダクタ７１を通過せずに固定抵抗器１１で消費される。したがって、ノイズフィルタ１０でノイズの電力が蓄えられないので、放出電力による問題もない。また、ノイズフィルタ１０と対地容量Ｃとの共振周波電流も固定抵抗器１１で消費されるので、共振周波電流による問題もない。
【００１９】
ノイズフィルタ１０は、一本の導線に用いられることにより、二つの端子７２，７３となるため、インダクタ７１以外を用いることができない。ここで、インダクタ７１のインダクタンスをＬ、角周波数をωとすると、そのリアクタンスはωＬとなる。一方、電子装置１２の対地容量Ｃが呈するリアクタンスは１／ωＣとなるので、これとωＬとが直列共振することによってノイズ電流が発生する。
【００２０】
本実施形態では、インダクタ７１に並列に固定抵抗器１１を設けている。そのため、電源電流や短絡時のアース電流のような低周波電流は低リアクタンスを呈するインダクタ７１をそのまま通過し、それより高い周波数成分を持つノイズ電流は固定抵抗器１１を通過することにより電力消費される。
【００２１】
すなわち、固定抵抗器１１の抵抗値をＲとすると、ノイズフィルタ１０のインピーダンスＺは次式で表される。
【００２２】
0003098838.tif 000003
そして、ωＬ＜＜Ｒのとき、
0003098838.tif 000004
である。そして、ωＬ＞＞Ｒのとき、
0003098838.tif 000005
である。
【００２３】
式（２）から明らかなように、低周波電流（電源電流）は、ノイズフィルタ１０のインピーダンスがＺ≒ｊωＬとなるから、ノイズフィルタ１０をほぼ無損失で通過する。一方、式（３）から明らかなように、共振周波数を含む高周波電流（ノイズ電流）は、ノイズフィルタ１０のインピーダンスがＺ≒Ｒとなるから、ノイズフィルタ１０で消費される。
【００２４】
ここで、電源電流の角周波数をωｐ［ｒａｄ］、ノイズ電流の下限の角周波数をωｎ［ｒａｄ］、インダクタ７１のインダクタンスをＬ［Ｈ］、固定抵抗器１１の抵抗値をＲ［Ω］としたとき、式（２），（３）から明らかなように、
（ωｐ・Ｌ）　＜＜　Ｒ　＜＜　（ωｎ・Ｌ）　・・・（４）
を満足する必要がある。上式左辺の（ωｐ・Ｌ）　＜＜　Ｒの関係に着目すれば、Ｒは（ωｐ・Ｌ）よりもできるだけ大きいことが望ましい。一方、上式右辺のＲ　＜＜　（ωｎ・Ｌ）の関係に着目すれば、Ｒは（ωｎ・Ｌ）よりもできるだけ小さいことが望ましい。これらのトレードオフの関係にあるものを両立させるには、例えば、
１０（ωｐ・Ｌ）　＜　Ｒ　＜　（ωｎ・Ｌ）／１０　・・・（５）
とすることが好ましい。そして、より好ましくは、
１００（ωｐ・Ｌ）　＜　Ｒ　＜　（ωｎ・Ｌ）／１００　・・・（６）
とする。最も好ましくは、
１０００（ωｐ・Ｌ）　＜　Ｒ　＜　（ωｎ・Ｌ）／１０００　・・・（７）
とする。このように、Ｒの範囲を狭めることによって、ωｐでの減衰量が適度に小さく、かつωｎでの減衰量が適度に大きい、バランスのとれた特性が得られる。
【００２５】
次に、図２に基づき、ωｎ，Ｌ，Ｒの適切な関係について、更に詳しく説明する。
【００２６】
ノイズ源電圧Ｖｎによるノイズ電流Ｉｎは、アース線を介して電子装置１２側へ流入することにより、電子装置１２の障害を発生させる。ノイズフィルタ１０は、ノイズ電流Ｉｎの一部を固定抵抗器１１で熱に変換することによって、電子装置１２の障害を防ぐ。電子装置１２の障害の程度によっては、わずかなノイズ電流Ｉｎを固定抵抗器１１で消費するだけで、その障害が収まることがある。したがって、基本的にＲの値は限定されない。
【００２７】
ここで、ノイズフィルタ１０の両端に現れる電圧をＶｆ、インダクタ７１に流れる電流をＩｌ、固定抵抗器１１に流れる電流をＩｒとすると、
Ｉｌ　＝　Ｖｆ／（ωｎ・Ｌ）　・・・（１１）
Ｉｒ　＝　Ｖｆ／Ｒ　・・・（１２）
となる。そして、インダクタ７１に蓄えられる電力Ｗｌは、
Ｗｌ　＝　Ｌ・Ｉｌ２／２　＝　Ｖｆ２／（２ωｎ２・Ｌ）　・・・（１３）
となる。このとき、固定抵抗器１１で消費される電力Ｐｒは、
Ｐｒ　＝　Ｉｒ２・Ｒ　＝　Ｖｆ２／Ｒ　・・・（１４）
となる。
ここで、固定抵抗器１１で消費される電力Ｐｒはインダクタ７１に蓄えられる電力Ｗｌを少なくとも上回ること、すなわちＰｒ≧Ｗｌとなることが望ましい。したがって、式（１３），（１４）より、
Ｗｌ／Ｐｒ　＝　Ｒ／（２ωｎ２・Ｌ）　≦　１　・・・（１５）
∴　（ωｎ・Ｌ）／Ｒ　≧　１／（２ωｎ）　・・・（１６）
が成り立つ。
【００２８】
例えば、Ｌ＝３［ｍＨ］、ωｎ＝２π×１００［ｒａｄ］とする。このωｎは商用電源の周波数５０［Ｈｚ］の第二高調波である。このとき、式（１６）から、
（２π×１００×０．００３）／Ｒ　＝　０．６π／Ｒ　≧　１／（４π×１００）
∴　Ｒ　≦　２４０π２　≒　２．３７［ｋΩ］　・・・（１７）
となる。すなわち、式（１７）を満たすＲの固定抵抗器１１を有するノイズフィルタ１０は、電源周波数の第二高調波以上のノイズを実質的に遮断できる。
【００２９】
図３は、ノイズフィルタ１０の減衰特性を示すグラフである。以下、図１［１］、図２及び図３に基づき説明する。
【００３０】
ノイズフィルタ１０において、インダクタ７１のインダクタンスＬ＝３ｍＨ（１００ターン）、電子装置１２の対地容量Ｃ＝８００ｐＦである。そして、固定抵抗器１１の抵抗値Ｒは、図３［１］が∞すなわち固定抵抗器１１なし、図３［２］が１０ｋΩ、図３［３］が１ｋΩ、図３［４］が０．１ｋΩである。
【００３１】
図３［１］におけるノイズフィルタは、従来のノイズフィルタ７０（図６［１］）と同じ構成であり、共振周波数を含む高周波領域で減衰量が大きく落ち込んでいる。これに対し、図３［２］〜［４］におけるノイズフィルタは、本実施形態のノイズフィルタ１０と同じ構成である。そして、減衰量の落ち込みは、Ｒ＝∞→１０ｋΩ→１ｋΩとなるにつれて小さくなり、Ｒ＝０．１ｋΩで解消される。
【００３２】
図１［２］は、本考案に係るノイズフィルタの第一参考例を示す回路図である。以下、この図面に基づき説明する。ただし、図６［２］と同じ部分は同じ符号を付すことにより説明を省略する。
【００３３】
本参考例のノイズフィルタ２０は、インダクタ８１及び抵抗器２１の並列回路並びにインダクタ８３及び抵抗器２３の並列回路が一方の電源線に直列に設けられ、インダクタ８２及び抵抗器２２の並列回路並びにインダクタ８４及び抵抗器２４の並列回路が他方の電源線に直列に設けられ、両方の電源線間にコンデンサ８５，８６，８７が並列に設けられたものである。このように、ノイズフィルタ２０は電源線用の四端子ノイズフィルタである。なお、インダクタ８１〜８４の少なくとも一つに抵抗器を設けてもよい。
【００３４】
電源周波数の電流は、抵抗器２１〜２４を通過せずにインダクタ８１〜８４を無損失で通過する。一方、共振周波電流を含む高周波のノイズ電流は、インダクタ８１〜８４を通過せずに抵抗器２１〜２４で消費される。したがって、ノイズフィルタ２０でノイズの電力が蓄えられないので、放出電力による問題もない。また、ノイズフィルタ２０と対地容量Ｃとの共振周波電流も抵抗器２１〜２４で消費されるので、共振周波電流による問題もない。
【００３５】
電源線、アース線等の導線に誘導されたノイズ電流は、機器に不要な雑音電力を供給することにより、機器の誤動作や機能低下を引き起こす。このノイズ電流には、ノーマルモード及びコモンモードの二通りの伝送形態がある。ノーマルモードでは、電源線などの二本の導線上を、同じ振幅かつ逆の方向でノイズ電流が流れる。コモンモードでは、電源線などの二本の導線上を、同じ振幅かつ同じ方向でノイズ電流が流れる。
【００３６】
一般に、機器に障害を与えるノイズ電流は、前述の二つの伝送形態が重畳した形になっている。このうち、ノーマルモードのノイズ電流は、従来、図６［２］に示すような四端子ノイズフィルタを用いて制限していた。しかし、その構成はインダクタ及びコンデンサのみとなっているので、ノイズ電力を熱損失により低減する機能を持たない。そこで、本実施形態のノイズフィルタ２０では、従来の四端子ノイズフィルタのインダクタ８１〜８４のそれぞれに並列に抵抗器２１〜２４を接続することにより、高周波ノイズ電流を熱損失で消費させる機能を持たせている。この構成でも、前述した図１［１］に示す二端子ノイズフィルタと同様のノイズ電流減衰効果を期待できる。
【００３７】
図４［１］は、本考案に係るノイズフィルタの第二参考例を示す回路図である。以下、この図面に基づき説明する。ただし、図１［１］と同じ部分は同じ符号を付すことにより説明を省略する。
【００３８】
本参考例のノイズフィルタ３０では、第一実施形態における固定抵抗器１１（図１［１］）が可変抵抗器３１となっている。ノイズフィルタ３０が取り付けられる機器ごとに、その対地容量Ｃがばらつく。このような場合でも、可変抵抗器３１の抵抗値を変えることにより、共振周波数のばらつきに的確に対応できる。
【００３９】
図４［２］は、本考案に係るノイズフィルタの第三参考例を示す回路図である。以下、この図面に基づき説明する。ただし、図１［２］と同じ部分は同じ符号を付すことにより説明を省略する。
【００４０】
本参考例のノイズフィルタ４０では、第一参考例における抵抗器２１〜２４（図１［２］）が可変抵抗器４１〜４４となっている。ノイズフィルタ４０が取り付けられる機器ごとに、その対地容量Ｃがばらつく。このような場合でも、可変抵抗器４１〜４４の抵抗値を変えることにより、共振周波数のばらつきに的確に対応できる。なお、インダクタ８１〜８４の少なくとも一つに可変抵抗器を設けてもよい。また、第一参考例における抵抗器２１〜２４（図２［１］）のうち、少なくとも一個を可変抵抗器としてもよい。
【００４１】
図５は、本考案に係るノイズフィルタの第四参考例を示す斜視図である。以下、この図面に基づき説明する。ただし、回路は図４［１］と同じになるので、図４［１］と同じ部分は同じ符号を付すことにより説明を省略する。
【００４２】
本参考例のノイズフィルタ５０は、トロイダルコイル７１に可変抵抗器３１が並列接続されたものである。トロイダルコイル７１及び可変抵抗器３１の並列回路は、一方の端子がコネクタ５１を介して接地され、他方の端子がコネクタ５２を介して機器に接続される。このように、ノイズフィルタ５０はアース線用の二端子ノイズフィルタである。トロイダルコイル７１及び可変抵抗器３１の並列回路は、筐体５３内に収容されている。筐体５３は、例えばアルミニウム等の金属又導電性プラスチックからなる。
【００４３】
また、トロイダルコイル７１の中心に可変抵抗器３１が配置されている。すなわち、トロイダルコイル７１の中心の空間に可変抵抗器３１が収まっているので、筐体５３内の空間が有効に利用されている。
【００４４】
更に、可変抵抗器３１の抵抗値を変えるための回転軸（抵抗値可変手段）５４が、筐体５３外から操作可能な位置に設けられている。そのため、回転軸５４を筐体５３外から操作することにより、対地容量Ｃのばらつきにも簡単に対応できる。具体的には、筐体５３に透孔５５が設けられているので、透孔５５からマイナスドライバを挿入することにより、回転軸５４を容易に回すことができる。
【００４５】
ノイズフィルタ５０が取り付けられる機器ごとに、その対地容量Ｃがばらつく。そのため、ノイズフィルタ５０を機器に取り付けた後、回転軸５４を操作することにより、所望の減衰特性を得ることができる。
【００４６】
なお、本考案は、言うまでもなく、上記実施形態に限定されるものではない。例えば、上記実施形態のいずれかのノイズフィルタをＮ個並列配置し、これらを金属又は非金属素材からなる一つの管体内に収納して、２Ｎ又は４Ｎ端子ノイズフィルタとしてもよい。ここで、Ｎは２以上の整数である。
【００４７】
【考案の効果】
本考案に係るノイズフィルタによれば、従来のノイズフィルタのインダクタに固定抵抗器を並列接続したという簡単な構成により、共振周波電流を含む高周波のノイズ電流がインダクタを通過せずに固定抵抗器で消費されるので、放出電力による機器の誤動作等を防止できるとともに、機器の対地容量による共振周波電流も抑制できる。
【００４８】
請求項２記載のノイズフィルタによれば、インダクタ及び固定抵抗器の並列回路が一本のアース線に設けられ、一方の端子が接地され、他方の端子が機器に接続されるので、アース線用ノイズフィルタとして使用できる。
【００４９】
請求項３乃至５記載のノイズフィルタによれば、電源電流の角周波数をωｐ［ｒａｄ］、ノイズ電流の下限の角周波数をωｎ［ｒａｄ］、インダクタのインダクタンスをＬ［Ｈ］、固定抵抗器の抵抗値をＲ［Ω］としたとき、好ましくは、
１０（ωｐ・Ｌ）　＜　Ｒ　＜　（ωｎ・Ｌ）／１０
より好ましくは、
１００（ωｐ・Ｌ）　＜　Ｒ　＜　（ωｎ・Ｌ）／１００
最も好ましくは、
１０００（ωｐ・Ｌ）　＜　Ｒ　＜　（ωｎ・Ｌ）／１０００
とすることにより、ωｐでの減衰量が適度に小さく、かつωｎでの減衰量が適度に大きい、バランスのとれた特性を得ることができる。
【００５０】
請求項６記載のノイズフィルタによれば、
（ωｎ・Ｌ）／Ｒ　≧　１／（２ωｎ）
とすることにより、固定抵抗器で消費される電力がインダクタに蓄えられる電力を越える特性を得ることができる。
【図面の簡単な説明】
【図１】図１［１］は本考案に係るノイズフィルタの第一実施形態を示す回路図である。図１［２］は本考案に係るノイズフィルタの第一参考例を示す回路図である。
【図２】図１のノイズフィルタの使用状態を示す回路図である。
【図３】図１のノイズフィルタの減衰特性を示すグラフであり、図３［１］はＲ＝∞の場合、図３［２］はＲ＝１０ｋΩの場合、図３［３］はＲ＝１ｋΩの場合、図３［４］はＲ＝０．１ｋΩの場合である。
【図４】図４［１］は本考案に係るノイズフィルタの第二参考例を示す回路図である。図４［２］は本考案に係るノイズフィルタの第三参考例を示す回路図である。
【図５】本考案に係るノイズフィルタの第四参考例を示す斜視図である。
【図６】従来のノイズフィルタを示す回路図であり、図６［１］は第一例、図６［２］は第二例である。
【符号の説明】
１０，２０，３０，４０，５０　ノイズフィルタ
１１，２１〜２４　固定抵抗器
１２　電子装置（機器）
３１，４１〜４４　可変抵抗器
５３　筐体
５４　回転軸（抵抗値可変手段）
７１，８１〜８４　インダクタ
７２，７３，８８〜９１　端子
Ｌ　インダクタ７１のインダクタンス
Ｒ　固定抵抗器１１の抵抗値
Ｃ　電子装置１２の対地容量
【図１】
0003098838.tif 000006
【図２】
0003098838.tif 000007
【図３】
0003098838.tif 000008
【図４】
0003098838.tif 000009
【図５】
0003098838.tif 000010
【図６】
0003098838.tif 000011